(57)【特許請求の範囲】
【請求項１】
軸受け孔を有していてシャッタ地板に所定の間隔を空けて略平行になるようにして取り付けられた上地板と、同軸上の位置には相反する側に軸部と軸受け部とを有し径方向位置にはばね掛け部となる第１係合部と前記シャッタ地板側に前記上地板と略平行な係接面を形成した第２係合部とを有し外周面には歯部が形成されていて該軸部を前記上地板の軸受け孔に回転可能に嵌合させているラチェット部材と、軸部を有していてその一端を前記シャッタ地板に他端を前記ラチェット部材の前記軸受け部に回転可能に支承されている駆動部材と、前記駆動部材の前記軸部に嵌装されていてその一端を前記駆動部材に他端を前記ラチェット部材の第１係合部に掛けている駆動ばねと、前記ラチェット部材の外周面に形成されている前記歯部に圧接し且つ係合している爪部材と、前記ラチェット部材の第２係合部に形成された前記係接面に係合して該ラチェット部材を前記上地板と挟持し前記爪部材の圧接によって該ラチェット部材が傾かないように支えている支持部材とを備えていることを特徴とするフォーカルプレンシャッタ。
【請求項２】
前記爪部材が前記上地板に一体的に形成されていることを特徴とする請求項１に記載のフォーカルプレンシャッタ。
【請求項３】
前記支持部材が前記上地板に一体的に形成されていることを特徴とする請求項１又は２に記載のフォーカルプレンシャッタ。
【請求項４】
前記爪部材と前記支持部材が同一部材によって形成されていることを特徴とする請求項１に記載のフォーカルプレンシャッタ。
【請求項５】
前記ラチェット部材の外周面には、前記歯部とは別に、前記歯部の歯に対して半ピッチ歯の位相をずらせたもう一つの歯部が形成されており、前記支持部材は該もう一つの歯部にも係合していることを特徴とする請求項１乃至４の何れかに記載のフォーカルプレンシャッタ。
【発明の詳細な説明】
【０００１】
【発明の属する技術分野】
本発明は、撮影に際し、先羽根群と後羽根群とを同一方向へ順次走行させ、それらによって形成されるスリットによってフィルムを露光するようにしたカメラ用のフォーカルプレンシャッタに関する。
【０００２】
【従来の技術】
通常、この種のフォーカルプレンシャッタには、露光作動時に、夫々の駆動ばねによって回転され、先羽根群と後羽根群を作動させる先羽根用駆動部材と後羽根用駆動部材が備えられている。そのうち、各駆動ばねはコイルばねであって、一端を各駆動部材に掛け、他端を固定のばね掛けに掛けているが、製造時には、その固定のばね掛け位置を変えることによって、駆動力を調整できるようになっている。そして、その固定のばね掛け位置を変えることができるようにした構成のうち最も一般的であって精度良く調整できる構成としては、ラチェット爪によって回転位置を固定され得るラチェット部材を、上記の駆動部材と同心的且つ回転可能にに配置し、そのラチェット部材の一部に駆動ばねの他端を掛けるようにした構成が知られている。
【０００３】
他方、各駆動部材は、シャッタ地板と、シャッタ地板に略平行に取り付けられた上地板との間に、回転可能に取り付けられるが、その取り付け方には大別して二つのタイプがある。その一つは、シャッタ地板に立設された軸に、駆動部材の筒状部を回転可能に嵌合させる構成であり、もう一つは、駆動部材自身の回転軸の上下端を、夫々シャッタ地板と上地板に回転可能に支承させる構成である。そして、前者のタイプの場合には、上記したラチェット部材は、シャッタ地板と上地板の間において、シャッタ地板に立設された軸の先端側に回転可能に嵌合され、後者のタイプの場合には、上記したラチェット部材は、通常、上地板に設けられた軸受け部材に回転可能に嵌合される。本発明は、このような後者のタイプの構成の改良に関するものである。
【０００４】
そこで、上記した後者のタイプの構成に属し、且つ実際に実施されているものの構成を、図５を用いて説明する。尚、図５に示したのは要部の断面図であって、シャッタ機構の他の構成との関係については、実施例の説明によって充分に理解できるので、ここではその説明を省略する。また、図５に示した部材のうち、実施例とは形状が異なっている部材であっても、実施例の部材，部位に対応するものには実施例と同じ符号を用いてある。図５において、シャッタ地板１には、カバー板２と上地板１０が略平行になるようにして取り付けられている。上地板１０には軸受け部材２２が、かしめ加工によって取り付けられている。
【０００５】
先羽根用駆動部材３の軸部３ａは、表面側に大径部と小径部を有し、背面側に座部と大径部と小径部を有している。そして、この駆動部材３は、表面側の小径部を軸受け部材２２の軸受け部２２ａに嵌合させ、背面側の大径部をシャッタ地板１に形成された軸受け部１ｈに嵌合させることによって、回転可能に支承されている。また、軸受け部材２２の外周面２２ｂには、外周部に歯部１４ｂを形成したラチェット部材１４が回転可能に取り付けられており、その歯部１４ｂには、上地板１０を折り曲げて形成した爪部１０ｆが係合するようになっている。更に、軸部３ａの表面側の大径部には先羽根用駆動ばね１６が嵌装されていて、上端は折り曲げて、ラチェット部材１４に形成されたスリット１４ｇに嵌め込まれ、下端はやはり折り曲げて、鉄片部材５の取付部３ｃに掛けられている。
【０００６】
この駆動ばね１６には、露光作動時に、駆動部材３を、図の上方から見て時計方向へ急速に回転させるために、強力な付勢力が付与されている。そこで、爪部１０ｆには弾性が付与されていて、駆動部材３が往復回転するに際して、駆動ばね１６の上端位置が動かないようにするために、即ちラチェット部材１４が回転しないようにするために、ラチェット部材１４に対して、図５の右方向へ押すような力を作用させ、しっかりと歯部１４ｂと係合させるようにしている。そして、製作時に、駆動部材３の駆動力を調整するに際しては、爪部１０ｆを撓ませて歯部１４ｂから外し、ラチェット部材１４を所定の方向へ回転させることによって、異なる歯に再度係合させるようにする。
【０００７】
【発明が解決しようとする課題】
しかるに、上記のような構成は、機能的には何ら問題がないが、製作上に問題がある。即ち、軸受け部材２２が上地板１０にかしめられているために、かしめ加工後、例えばラチェット部材１４の歯部１４ｂが破損したり、上地板１０における他の部材との組み付け部に異常が生じたりした場合、ラチェット部材１４だけを交換したり、上地板１０のみを交換することができず、両者とも交換しなければならなくなる。そのため、出来ればかしめ加工をしなくて済むようにする方法が望まれる。そうすれば、単に、上記のような交換時の無駄が省けるばかりでなく、かしめ加工を無くすことによって工数の削減ができ、コストダウンの効果が大きくなる。
【０００８】
そこで、先ず図６に示したような解決策が考えられる。この図６に示した構成は、図５に示したラチェット部材１４に軸部１４ａと軸受け部１４ｅを形成し、軸部１４ａを上地板１０の孔１０ｄに回転可能に嵌合させ、軸受け部１４ｅに駆動部材３の軸３ａを嵌合させるようにしたものである。このような構成にすることによって、上記した交換時には、上地板１０とラチェット部材１４を個々に交換することが可能になるし、軸受け部材２２が不要となり且つかしめ加工も不要になるので、コスト面では極端に有利となる。
【０００９】
しかしながら、反面、機能的な問題が生じてしまう。即ち上記したように、ラチェット部材１４には、爪部１０ｆの弾性によって、図６において右方向への力が掛かっている。他方、軸部１４ａと孔１０ｄの間には公差があって、且つ上地板１０は比較的薄い部材である。そのため、余程精度よく製作しないと、組立後、図６の矢印Ａのところを支点にして、どうしても傾きが生じてしまう。そのために、駆動部材３の回転に不具合が生じ、所期の安定した回転が行われず、ひいては露光時間の制御にも影響を与えてしまうことになる。
【００１０】
本発明は、このような問題点を解決するためになされたものであり、その目的とするところは、各駆動部材自身に設けた回転軸を、その上下端でシャッタ地板と上地板に回転可能に支承させるようにした構成を、性能を損なうことなくコストダウンできるようにしたカメラ用のフォーカルプレンシャッタを提供することである。
【００１１】
【課題を解決するための手段】
上記の目的を達成するために、本発明のフォーカルプレンシャッタは、軸受け孔を有していてシャッタ地板に所定の間隔を空けて略平行になるようにして取り付けられた上地板と、同軸上の位置には相反する側に軸部と軸受け部とを有し径方向位置にはばね掛け部となる第１係合部と前記シャッタ地板側に前記上地板と略平行な係接面を形成した第２係合部とを有し外周面には歯部が形成されていて該軸部を前記上地板の軸受け孔に回転可能に嵌合させているラチェット部材と、軸部を有していてその一端を前記シャッタ地板に他端を前記ラチェット部材の前記軸受け部に回転可能に支承されている駆動部材と、前記駆動部材の前記軸部に嵌装されていてその一端を前記駆動部材に他端を前記ラチェット部材の第１係合部に掛けている駆動ばねと、前記ラチェット部材の外周面に形成されている前記歯部に圧接し且つ係合している爪部材と、前記ラチェット部材の第２係合部に形成された前記係接面に係合して該ラチェット部材を前記上地板と挟持し前記爪部材の圧接によって該ラチェット部材が傾かないように支えている支持部材とを備えているようにする。
【００１２】
また、本発明におけるフォーカルプレンシャッタにおいては、好ましくは、前記爪部材が前記上地板に一体的に形成されているようにする。
更に、本発明におけるフォーカルプレンシャッタにおいては、好ましくは、前記支持部材が前記上地板に一体的に形成されているようにする。
また、本発明におけるフォーカルプレンシャッタにおいては、好ましくは、前記爪部材と前記支持部材が同一部材によって形成されているようにする。
更にまた、本発明におけるフォーカルプレンシャッタにおいては、好ましくは、前記ラチェット部材の外周面には、前記歯部とは別に、前記歯部の歯に対して半ピッチ歯の位相をずらせたもう一つの歯部が形成されており、前記支持部材は該もう一つの歯部にも係合しているようにする。
【００１３】
【発明の実施の形態】
本発明の実施の形態を、図１〜図４に示した実施例によって説明する。尚、図１は実施例の分解斜視図であり、図２は実施例の要部の断面図である。また、図３は実施例において上地板に対するラチェット部材の取り付け状態を示した平面図であり、図４はその一部斜視図である。
【００１４】
図１に示されたシャッタ地板１は合成樹脂製であって、周知のように略中央部には開口部１ａが形成されている。その開口部１ａの左方には三つの円弧状の孔１ｂ，１ｃ，１ｄと、円形の孔１ｅが形成されているが、この円形の孔１ｅはカメラへ取り付けるために必要な複数の孔のうちの一つである。また、これらの孔１ｂ，１ｃ，１ｄ，１ｅの近傍位置には、二つの軸１ｆ，１ｇと二つの軸受け部１ｈ，１ｉが一体成形にて設けられている。このうち、二つの軸１ｆ，１ｇには、シャッタ地板１側から間座部，大径部，小径部が形成されていて、各小径部の端面から軸方向へ向けてネジ穴が設けられている。また、二つの軸受け部１ｈ，１ｉの中央部には、シャッタ地板１を貫通する孔が形成されている。
【００１５】
シャッタ地板１の背面側には、周知のように、夫々所定の間隔を空けて、中間板とカバー板が順に取り付けられているが、そのうちのカバー板２の一部だけが図２に示されている。実際には、中間板とカバー板２にも上記開口部１ａと類似の形状をした開口部が形成されており、通常は、それらの三つの開口部の合成によって、シャッタユニットとしての露光開口が形成されるが、本実施例においては、実質上、開口部１ａがその露光開口を規制している。また、本実施例の場合には、シャッタ地板１と中間板の間に形成された空間領域が先羽根群の羽根室となり、中間板とカバー板２の間に形成された空間領域が後羽根群の羽根室となっている。そして、このようなシャッタユニットをカメラに組み付けた場合には、シャッタ地板１がレンズ側になり、カバー板２がフィルム側となる。
【００１６】
本実施例における先羽根用駆動部材３は合成樹脂製であって、軸部３ａ，作動ピン３ｂ，取付部３ｃ，被押動部３ｄを形成している。そのうち、軸部３ａは、図２から分かるように、表面側に順に大径部と小径部が形成され、背面側には順に座部，大径部，小径部が形成されている。そして、背面側の大径部をシャッタ地板１の軸受け部１ｈに回転可能に嵌合させている。また、周知のように、先羽根群のアーム４と一体的に設けられた間座の孔には、背面側の小径部を回転可能に嵌合させている。
【００１７】
上記した作動ピン３ｂは、シャッタ地板１に形成された円弧状の孔１ｂを貫通し、周知のようにシャッタ地板１の背面側で、アーム４に形成された孔に嵌合している。それにより、先羽根用駆動部材３が露光作動時に時計方向へ回転した場合には、開口部１ａを覆っていた先羽根群を重畳させつつ開口部１ａの下方へ作動させ、開口部１ａを開くようになっている。更に、上記した取付部３ｃには、後述する先羽根用電磁石の鉄芯部材に吸着される鉄片部材５が取り付けられている。また、被押動部３ｄは、その端面がカム面として形成されている。
【００１８】
後羽根用駆動部材６も合成樹脂製であって、実質的には先羽根用駆動部材３と同じ構成になっており、軸部６ａ，作動ピン６ｂ，取付部６ｃ，被押動部６ｄを形成している。そのうち、軸部６ａは、表面側に順に大径部と小径部が形成され、図示していないが背面側には軸部３ａと同様に順に座部，大径部，小径部が形成されている。そして、背面側の大径部をシャッタ地板１の軸受け部１ｉに回転可能に嵌合させ、背面側の小径部を後羽根群のアームに回転可能に嵌合させている。
【００１９】
また、作動ピン６ｂは、シャッタ地板１に形成された円弧状の孔１ｃを貫通し、周知のようにシャッタ地板１の背面側で、後羽根群のアームに形成された孔に嵌合しており、露光作動時において後羽根用駆動部材６が時計方向へ回転した場合には、開口部１ａの上方位置に重畳していた後羽根群を展開させ、開口部１ａを閉じるようになっている。更に、上記した取付部６ｃには、後述する後羽根用電磁石の鉄芯部材に吸着される鉄片部材７が取り付けられている。また、被押動部６ｄは、その端面がカム面として形成されている。
【００２０】
セット部材８は、その筒部８ａを、シャッタ地板１の軸１ｆに回転可能に嵌合させている。このセット部材８は、それらの端面をカム面として形成した二つの押動部８ｂ，８ｃを有しており、夫々の端面を、上記した被押動部３ｄ，６ｄの端面に接触させ得るようにしている。また、セット部材８は、ばね掛け８ｄと被押動部８ｅを有している。このうち、ばね掛け８ｄには、筒部８ａに嵌装されたばね９の一端が掛けられている。また、被押動部８ｅは、セット時に、カメラ本体側の部材によって押される部位であり、その押動によってセット部材８が、初期位置から、ばね９の付勢力に抗して時計方向へ回転されるようになっている。
【００２１】
シャッタ地板１の軸１ｆ，１ｇの小径部には、上地板１０とプリント配線板１１が順に取り付けられている。その取り付け方は、先ず上地板１０の孔１０ａ，１０ｂを嵌合させ、次にプリント配線板１１の孔１１ａ，１１ｂを嵌合させた後、該小径部に形成されたネジ穴にビス１２，１３を螺合させる。また、上地板１０には、ばね掛け１０ｃが形成されているが、これは上記したばね９の他端を掛けるためのものである。
【００２２】
上地板１０には、更に二つの孔１０ｄ，１０ｅが形成されており、そこにはラチェット部材１４，１５の軸部１４ａ，１５ａが回転可能に嵌合している。この軸部１４ａ，１５ａは、更にプリント配線板１１の孔１１ｃ，１１ｄにも嵌合しているが、これらの孔１１ｃ，１１ｄは単なる逃げ孔であって径が大きく、軸部１４ａ，１５ａの位置を規制しているものではない。各ラチェット部材１４，１５は同一形状をしており、その外周部に歯部１４ｂ，１５ｂ、鍔部１４ｃ，１５ｃ、周面部１４ｄ，１５ｄが形成されている。また、内部は空洞になっていて、図２に示したラチェット部材１４の断面図からも分かるように、軸受け部１４ｅ（１５ｅ〔図示省略。以下同じ〕）とリング状の凹部１４ｆ（１５ｆ）が形成されている。そして、周知のようにして外周部と内部を径方向に連絡するようにして、下方を開いたスリット１４ｇ（１５ｇ）が形成されている。
【００２３】
ラチェット部材１４，１５の軸受け部１４ｅ（１５ｅ）には、図２から理解できるように、各駆動部材３，６の表面側に形成された小径部が回転可能に嵌合している。また、各駆動部材３，６の表面側の大径部には、先羽根用駆動ばね１６と後羽根用駆動ばね１７が嵌装されている。これらの駆動ばね１６，１７は、露光作動時に各駆動部材３，６を時計方向へ回転させるものであって、夫々の上端及び下端は折り曲げられ、上端は上記したスリット１４ｇ（１５ｇ）に嵌め込まれており、下端は鉄片部材５，７に関係しないようにして取付部３ｃ，６ｃに掛けられている。
【００２４】
また、上記の上地板１０には、ラチェット部材１４，１５の外周部に係合する二つの折曲部が設けられている。そして、各折曲部は途中で二つに分かれており、夫々、歯部１４ｂ，１５ｂに係合する爪部１０ｆ，１０ｇと、鍔部１４ｃ，１５ｃに係合する支持部１０ｈ，１０ｉを形成している。これらのうち爪部１０ｆ，１０ｇは、強力な駆動ばね１６，１７の力によって、ラチェット部材１４，１５が反時計方向へ回転しないように係止する役目をするものであるため、図３に示すように、矢印方向へ付勢力が働くようにして組み付けられている。また、支持部１０ｈ，１０ｉは鍔部１４ｃ，１５ｃの下面に接触してラチェット部材１４，１５を支える役目をするものであるため、それらの先端は、周面部１４ｄ，１５ｄに接している必要はない。
【００２５】
更に、上記の上地板１０には、二つの二股の折曲部１０ｊ，１０ｋと、それらに対向するようにして折り曲げられた折曲部１０ｍ，１０ｎとが形成されている。これらの折曲部１０ｊ，１０ｋ，１０ｍ，１０ｎは、いずれも折曲方向に弾性を有していて、二股の折曲部１０ｊ，１０ｋは、更にその二股を開く方向へも若干撓むようになっている。そして、図面からは確認できないが、折曲部１０ｍ，１０ｎには折曲面に孔が形成されている。これらの形状は、いずれも後述する電磁石を取り付けるためのものであって、実際にはこれ以上に詳細なその他の形状も説明しなければ具体的な取り付け方が理解されないと考えるが、その詳細な構成については、本出願人によって既に特許出願されており（特願平７−２９１３０５号）、且つ直接本発明とは関係ないので、この程度の説明に留めておく。
【００２６】
本実施例における先羽根用電磁石と後羽根用電磁石とは、夫々、二つの磁極部を有する鉄芯部材１８，１９と、コイルを巻回したコイルボビン２０，２１とで構成されており、コイルボビン２０，２１は鉄芯部材１８，１９の一方の磁極部に嵌装されている。そして、先羽根用電磁石はビスを用いることなく折曲部１０ｊ，１０ｍ等によって上地板１０に取り付けられ、後羽根用電磁石は折曲部１０ｋ，１０ｎ等によって同じく上地板１０に取り付けられている。また、このとき、コイルボビン２０，２１の各々二つの端子ピン２０ａ，２１ａは、プリント配線板１１の一対の孔１１ｅ，１１ｆを貫通し、プリント配線板１１の表面側で半田付けされている。
【００２７】
上記の構成説明から分かるように、本実施例においてはラチェット部材１４，１５を取り付けるに際して、かしめ加工を必要としないし、図５に示した従来例のような軸受け部材２２を必要としない。また、製作時において、部品交換が必要となった場合、上地板１０とラチェット部材１４，１５を個々に交換することが可能となって無駄がなくなる。従って、コスト低減上極めて有利である。また、性能面には全く影響が生じない。即ち、ラチェット部材１４，１５は、その鍔部１４ｃ，１５ｃを上地板１０の支持部１０ｈ，１０ｉに乗せ、支えられているので、爪部１０ｆ，１０ｇによって傾かされるような力が働いても、所定の姿勢を保つことが可能となり、各駆動部材３，６の回転に何の影響も与えない。
【００２８】
次に、本実施例の作動を簡単に説明しておく。撮影終了後、フィルムが巻き上げられると、それに連動しているカメラ本体側の部材によって、セット部材８が、ばね９に抗して時計方向へ回転される。それによって、先羽根用駆動部材３と後羽根用駆動部材６とは、夫々の被押動部３ｄ，６ｄを、セット部材８の押動部８ｂ，８ｃによって押され、夫々の駆動ばね１６，１７に抗して反時計方向へ回転される。但し、そのとき、先羽根用駆動部材３が僅かに早く作動を開始され、作動ピン３ｂによって先羽根群を重畳位置から展開させ、そのスリット形成羽根の一部が、展開状態にある後羽根群のスリット形成羽根に重なった段階で、後羽根用駆動部材６が作動を開始し、作動ピン６ｂによって後羽根群を重畳させていくようになっている。このようにしてセット作動が行われ、各駆動部材３，６に取り付けられた鉄片部材５，７が、各電磁石の鉄芯部材１８，１９の磁極端面に接触した段階でセット作動が終了し、カメラ本体側の部材によって、セット部材８、ひいては各駆動部材３，６はその状態に保持される。
【００２９】
撮影に際して、レリーズボタンが押されると、その初期段階において先ず二つの電磁石に通電される。そして、鉄片部材５，７、即ち各駆動部材３，６が各駆動ばね１６，１７に抗して磁気的に保持された後、カメラ本体側の部材が退き、セット部材８は、ばね９によって初期位置に復帰する。その後、先羽根用電磁石に対する通電が断たれると、先羽根用駆動部材３は先羽根用駆動ばね１６の力によって急速に時計方向へ回転し、作動ピン３ｂによって先羽根群を重畳しつつ開口部１ａを開いていく。所定時間後に後羽根用電磁石に対する通電が断たれると、後羽根用駆動部材６も後羽根用駆動ばね１７の力によって急速に時計方向へ回転し、作動ピン６ｂによって後羽根群を展開し、開口部１ａを閉じていく。そして、両羽根群のスリット形成羽根間のスリットでフィルムを露光し、撮影を終了するようになっている。
【００３０】
尚、上記の実施例においては、ラチェット部材１４，１５に形成され、支持部１０ｈ，１０ｉに係合し且つ支持される部位の形状を、鍔部１４ｃ，１５ｃとしてディスク状に形成したが、本発明においては、このような形状に限定されるものではなく、支持部１０ｈ，１０ｉによってラチェット部材１４，１５の姿勢が所定の姿勢に保たれ得るのであれば、どのような形状でもよく、例えば実施例において周面部１４ｄ，１５ｄの下側にある面を係合部として、それを下方から長めに形成した支持部１０ｈ，１０ｉによって支えるようにしても差し支えない。また、ラチェット部材１４，１５の軸受け部１４ｅ（１５ｅ）は実施例のように孔として形成したものに限定されず、それらを軸部として形成し、各駆動部材３，６の軸部３ａ，６ａの先端面に形成された孔に嵌合させるようにしても差し支えない。
【００３１】
また、上記の実施例においては、爪部１０ｆと支持部１０ｈ、並びに爪部１０ｇと支持部１０ｉを、夫々共通の折曲部に形成しているが、それらを個々の折曲部に形成するようにしてもよく、且つこれらの爪部１０ｆ，１０ｇ、支持部１０ｈ，１０ｉを選択的に別部材で構成し、上地板１０に取り付けるようにしても差し支えないし、更には上地板１０以外の部材に取り付けるようにしても差し支えない。
【００３２】
更に、上記の実施例においては、ラチェット部材１４，１５に周面部１４ｄ，１５ｄが形成されているが、この部位は実施例の機能上からは特に必要としないものである。しかし、公知のシャッタにおいては、鍔部１４ｃ，１５ｃが形成されておらず、周面部１４ｄ，１５ｄの部位に、歯部１４ｂ，１５ｂとは半ピッチ位相をずらせて、もう一つの歯部を形成したものがある。そして、その場合、実施例における支持部１０ｈ，１０ｉが爪部として構成されており、それを、そのもう一つの歯部に係合させている。このような構成のものは、各駆動ばね１６，１７の力量を細かく調整できるので、通常、高分解能タイプの調整機構と称しているが、本発明を上記の実施例のように構成する場合には、そのようなタイプのものに用いられている上地板を共通部品として使用することが可能であり、また、本発明をそのようなタイプのものに適用したい場合には、実施例において周面部１４ｄ，１５ｄが形成されている部位に、歯部１４ｂ，１５ｂとは半ピッチ位相をずらせたもう一つの歯部を形成するだけで可能となる。
【００３３】
【発明の効果】
上記のように、本発明によれば、各駆動部材自身に設けた回転軸を、その上下端でシャッタ地板と上地板に回転可能に支承させるようにしたタイプのフォーカルプレンシャッタにおいて、性能を損なうことなく従来よりもコスト低減が行え、極めて有効である。
【図面の簡単な説明】
【図１】実施例の分解斜視図である。
【図２】実施例の要部の断面図である。
【図３】実施例において上地板に対するラチェット部材の取り付け状態を示した平面図である。
【図４】図３の一部斜視図である。
【図５】従来例の要部の断面図である。
【図６】従来例の改善策の一例を示す要部断面図である。
【符号の説明】
１                          シャッタ地板
１ａ                        開口部
１ｂ，１ｃ，１ｄ，１ｅ，１０ａ，１０ｂ，１０ｄ，１０ｅ，１１ａ，１１ｂ，１１ｃ，１１ｄ，１１ｅ，１１ｆ  孔
１ｆ，１ｇ                  軸
１ｈ，１ｉ，１４ｅ，２２ａ  軸受け部
２                          カバー板
３                          先羽根用駆動部材
３ａ，６ａ，１４ａ，１５ａ  軸部
３ｂ，６ｂ                  作動ピン
３ｃ，６ｃ                  取付部
３ｄ，６ｄ，８ｅ            被押動部
４                          アーム
５，７                      鉄片部材
６                          後羽根用鼓動部材
８                          セット部材
８ａ                        筒部
８ｂ，８ｃ                  押動部
８ｄ，１０ｃ                ばね掛け
９                          ばね
１０                        上地板
１０ｆ，１０ｇ              爪部
１０ｈ，１０ｉ              支持部
１０ｊ，１０ｋ，１０ｍ，１０ｎ  折曲部
１１                        プリント配線板
１２，１３                  ビス
１４，１５                  ラチェット部材
１４ｂ，１５ｂ              歯部
１４ｃ，１５ｃ              鍔部
１４ｄ，１５ｄ              周面部
１４ｆ                      凹部
１４ｇ                      スリット
１６                        先羽根用駆動ばね
１７                        後羽根用駆動ばね
１８，１９                  鉄芯部材
２０，２１                  コイルボビン
２０ａ，２１ａ              端子ピン
２２                        軸受け部材
２２ｂ                      外周面
【図１】
0003801705.tif 000002
【図２】
0003801705.tif 000003
【図３】
0003801705.tif 000004
【図４】
0003801705.tif 000005
【図５】
0003801705.tif 000006
【図６】
0003801705.tif 000007